(57)【特許請求の範囲】
【請求項１】
車両のための機械的な部材であって、表面と、測定範囲に割り当てられた、前記部材を負荷する力を検出するための少なくとも１つの力センサとを有する測定範囲を備えており、前記部材（３，２１）が、前記測定範囲に配置された、中空空間（４，２４）を有する中空体（３ｂ，２１ａ）を備えており、前記中空空間内に少なくとも１つの前記力センサ（７，２７）を位置決め可能であり、前記中空体（３ｂ，２１ａ）が、前記部材（３ｃ，２１ｂ）との少なくとも１つの接続箇所（５，２５）を備えており、前記中空体（３ｂ，２１ａ）が、前記力センサ（７，２７）の密封された閉鎖のために、前記接続箇所（５，２５）の範囲において、前記部材（３ｃ，２１ｂ）と溶接されていることを特徴とする機械的な部材。
【請求項２】
前記部材がシャシの結合リンク（２１）として形成されていることを特徴とする請求項１に記載の機械的な部材。
【請求項３】
前記部材が、ボールジョイント（２）として、又は前記結合リンク（１）に結合されるボールスタッド（３）として形成されていることを特徴とする請求項１に記載の機械的な部材。
【請求項４】
前記部材が、連結フックを有するトレーラ連結部として形成されていることを特徴とする請求項１に記載の機械的な部材。
【請求項５】
前記中空体（３ｂ，２１ａ）が、内側の表面を有する中空円筒又は中空ボールとして形成されていることを特徴とする請求項１〜４のいずれか１項に記載の機械的な部材。
【請求項６】
前記中空体（３ｂ，２１ａ）が閉じた断面を備えており、該断面が、負荷力の力伝達経路内に配置されていることを特徴とする請求項１〜５のいずれか１項に記載の機械的な部材。
【請求項７】
少なくとも１つの前記力センサ（７，２７）が、前記中空体（３ｂ，２１ａ）の前記内側の表面の範囲に、又は前記内側の表面上に配置されていることを特徴とする請求項１〜６のいずれか１項に記載の機械的な部材。
【請求項８】
少なくとも１つの前記力センサ（７，２７）が、カーボンナノチューブから成るひずみ測定ゲージ又はセンサ要素として形成されていることを特徴とする請求項１〜７のいずれか１項に記載の機械的な部材。
【発明の詳細な説明】
【技術分野】
【０００１】
本発明は、表面と、測定範囲に割り当てられた、部材を負荷する力を検出するための少なくとも１つの力センサとを有する測定範囲を備えた、車両のための機械的な部材に関するものである。
【背景技術】
【０００２】
整理番号ＤＥ１０２０１３２１３６７２．２を有する、本出願人の以前の出願には、力センサを有する機械的な部材が開示されており、この機械的な部材は、好ましい辞し形態において結合リンクとして形成されており、力センサは、測定範囲内で結合リンクに結合された曲げ弾性的な変形要素として形成されている。このとき、変形要素は、棒状に形成された結合リンクにおける機械的な負荷の増強部として作用し、この結合リンクでは、まず第１に引張応力及び圧縮応力が生じる。圧縮応力又は引張応力に基づき生じる結合リンクの圧縮ひずみ又は引張ひずみは、弓状に形成された変形要素へ伝達され、曲げを生じさせ、これにより、引張ひずみ又は圧縮ひずみが増強される。磁性材料から製造されている変形要素の機械的な変更は、磁場の変更と同時に現れ、このことは、計測可能であるとともに電気信号へ変換可能である。変形要素の変形は、適切なセンサ、好ましくは磁場測定の実行の下で検出される。
【０００３】
特許文献１によって力センサを有するトレーラ連結部が知られており、この力センサは、好ましくはひずみ測定ゲージとして形成されているとともに、連結フックの表面上に配置されている。
【先行技術文献】
【特許文献】
【０００４】
【特許文献１】独国特許出願公開第１０２０１１１１７５１９号明細書
【発明の概要】
【発明が解決しようとする課題】
【０００５】
本発明の課題は、機械的な部材における力測定のポテンシャルを使い尽くすことにある。
【課題を解決するための手段】
【０００６】
本発明の上記課題は、請求項１の特徴によって解決される。有利な形態は、従属請求項から明らかである。
【０００７】
本発明によれば、機械的な部材は、中空空間を有する、測定範囲に配置された中空体を備えるように構成されており、この中空体内には力センサを位置決め可能である。これにより、感応性の力センサが有害な外部の影響、特に飛び石又は腐食性の媒体に対して保護されるという利点が得られる。なぜなら、力センサが密封されて外部に対して閉鎖された中空空間内に配置及び固定されているためである。さらに、センサの収納のための追加的な構造空間が削減される。中空体は、部材の組み込み式の構成要素であるとともに、したがって他の部材と同様に負荷され、すなわち中空体が部材に負荷を与える力の伝達経路内に位置している。部材自体は、中空体の配置及び組込によって機能的な損傷を受けない。
【０００８】
有利な実施形態によれば、部材は、コントロールアーム、バーリンク若しくは結合リンクとして、又はシャシのボールジョイントとして形成されており、部材は、引張又は圧縮を受けるとともに、スタビライザにリンク式に結合されている。結合リンク内での力センサの支持された配置は、この応用において、飛び石及び腐食による、特別な利点を提供する。結合リンクにおける支持力の測定は、車両のアクティブなロール安定化における初期量として用いられる。
【０００９】
別の好ましい実施形態によれば、部材は、リンク式に結合リンクに結合されたボールスタッドとして形成されている。結合リンクとは異なり、ボールスタッド、特にその軸部は、曲げられるように負荷を受け、すなわち、大きさに関して結合リンクにおける引張応力又は圧縮応力よりも大きな負荷がボールスタッドにおいて生じる。この点では、ボールスタッドの中空空間における力センサの配置において増強効果と、これによる正確な測定結果が生じる。結合リンクは、少なくとも部分的にボールスタッドのケーシングを形成し、このボールスタッドは、回転移動可能に、及び／又は旋回移動可能に収容されることができる。
【００１０】
別の好ましい実施形態によれば、部材を車両のトレーラ連結部、すなわちボールヘッドを有する連結フックとして形成することができる。ここでも、連結フックの一部である中空体の内部における保護された力センサの配置が特に有利であることが実証されている。
【００１１】
別の好ましい実施形態によれば、中空体は、内部に表面を有する中空円筒又は中空ボールとして形成されている。内側の表面には、内側の表面の変形が直接１つ又は複数のセンサへ伝達されるように、１つ又は複数の力センサを固定することができる。
【００１２】
別の好ましい実施形態によれば、中空体は、部材あるいは結合リンク又はボールスタッドとの少なくとも１つの接続箇所を備えている。この接続箇所は、中空体において開口部を形成するとともに、これにより力センサの取付及び場合によっては接触部、電子機器その他の付属部材の取付のための可能性を提供する。力センサが中空空間内に配置され、固定された後、中空体及び部材は、接続箇所において互いに接合される。
【００１３】
別の好ましい実施形態によれば、中空体は、接続箇所の範囲で材料結合式に、特に溶接によって部材に結合されている。これによって、中空体と部材の間の、固定され、密な結合、すなわち、例えば腐食のような外部の影響に対する保護を提供する、力センサの密封された閉鎖が達成される。
【００１４】
別の好ましい実施形態によれば、中空体は、閉鎖された断面、特にリング断面を備えており、この断面は、部材に負荷される力（負荷力）の伝達経路に配置されている。この断面は、生じる応力及び変形に対して決定的なものである。
【００１５】
別の好ましい実施形態によれば、力センサは、内側の表面の範囲に配置されている。このとき、力センサは、構造に応じて、負荷において生じる変形が直接力センサへ伝達されるように表面に結合されている。
【００１６】
別の好ましい実施形態によれば、力センサは、ひずみ測定ゲージ、特に光学的又は吹き付け式又は蒸着式のひずみ測定ゲージとして形成されることが可能である。好ましくは、ひずみ測定ゲージは、スパッタリング（Ｓｐｕｔｔｅｒｎ）によって設けられている。これにより、標準化された力センサを用いることが可能である。しかし、他の力センサ、例えば感応要素として中空体の内側の表面に設けられるべきカーボンナノチューブを用いることも可能である。力センサとしてのカーボンナノチューブの詳細な説明は、同時に提出された、内部整理番号：ＺＦ００６４０８を有する本出願人の出願にある。そのほか、力の測定を誘導式、抵抗式、光学式、磁歪式、容量式、圧電式又は磁気抵抗式に行うことが可能である。
【００１７】
本発明の実施例は、図面に図示されているとともに、以下に詳細に説明され、明細書及び／又は図面から更なる特徴及び／又は利点が明らかとなり得る。
【図面の簡単な説明】
【００１８】
【図１】本発明の第１の実施例として、ボールスタッドとして形成された部材の内部に配置された力センサを示す図である。
【図２】本発明の第２の実施例として、結合リンクとして形成された部材の内部に配置された力センサを示す図である。
【発明を実施するための形態】
【００１９】
図１には、本発明の第１の実施例として、完全には図示されていない結合リンク１が示されており、この結合リンクは、ボールジョイント２を用いてボールスタッド３に結合されている。結合リンク１及びボールスタッド３は、車両のロール安定化システムの構成要素であり得る。機械的な部材の第１の実施例を形成するボールスタッド３は、ボールヘッド３ａと、第１の軸範囲３ｂと、ネジ部分３ｄを有する第２の軸範囲３ｃとを備えている。第１の軸範囲３ｂは、部分的に中空に形成されているとともに、ほぼ円筒状に形成された中空空間４を備えている。中実に形成された第２の軸範囲３ｃは、接続箇所５を介して第１の軸範囲３ｂに材料結合式に、好ましくは溶接継ぎ目６によって結合されている。したがって、中空空間４は、外方へ向けて密閉されている。円筒状に形成された内側の表面を備えた中空空間４の内部には、少なくとも１つの力センサ７、例えばカーボンナノチューブで構成されたひずみ測定ゲージ又はセンサ要素（これについて、同時に出願された、内部整理番号：ＺＦ００６４０８を有する本出願人の出願を参照）が配置されている。また、中空空間４内には電子部品８が配置されており、この電子部品は、少なくとも１つの力センサと作用結合している。電子部品８は、電気的な接続部９を介して不図示の電源に接続されている。
【００２０】
少なくとも１つの力センサは、矢印Ｆで示唆された、結合リンク１における支持力の測定に役立つものである。支持力Ｆは、ボールジョイント２を介して、ネジ部分３ｄを装着したボールスタッド３へ伝達されるため、ボールスタッド３、特に第１及び第２の軸範囲３ｂ，３ｃが曲げ負荷を受ける。曲げ応力は、結合リンクにおいて作用する圧縮応力及び引張応力の増強である。第１の軸範囲３ｂにおける曲げ応力により生じる、特に中空空間４の内側の表面における変形は、少なくとも１つの力センサ７によって測定される。測定により生じる信号は、電子部品８の電子機器へ供給され、そこで評価される。曲げ負荷及び測定された変形値に基づき、結合リンク１における支持力を演算することが可能である。
【００２１】
図示の実施例では、中空空間４が円筒状に図示され、第１の軸範囲３ｂは中空円筒として図示されている。しかしながら、中空空間４の幾何学的な差異も可能である：例えば、第１の軸範囲３ｂを、適当に拡大された中空空間４によって球状又はたる状に形成することが可能である。これにより、内部におけるより大きな空間がセンサ及び電子機器の格納に提供されるという利点が得られ得る。
【００２２】
図２には、本発明の第２の実施例として、結合リンク２１として形成されているとともにボールジョイント２２を介してボールスタッド２３に結合された機械的な部材が示されている。同一又は類似の部材についての参照番号は、図２では図１における参照番号に２０が足されている。図２に対する差異は、少なくとも１つの力センサ２７が、軸方向力Ｆによって負荷されている結合リンク２１の中空空間２４内に配置されている点にある。結合リンク２１は、接続箇所２５によって、中空に形成された第１の範囲２１ａと、中実に形成された第２の部分２１ｂとに分割されている。接合前には、中空空間２４が接続箇所２５の範囲で開放されているとともに外部からアクセス可能であるため、少なくとも１つの力センサ２７並びに電子部品２８及び電気コネクタ２９を中空空間２４内に取り付け、固定することが可能である。その後、両範囲２１ａ，２１ｂは、接続箇所２５において接合されるとともに、好ましくは例えば溶接継ぎ目２６によって材料結合式に互いに密に固結されるため、中空空間２４が外部に対して閉鎖及び密閉されている。軸方向力Ｆは、溶接結合部２６を介して接続箇所２５の範囲において伝達される。
【００２３】
中空空間２４は、リング断面によって画成されている。このリング断面は、軸方向力Ｆによって負荷されるため、そこでは、材料の弾性的な圧縮ひずみに関連して圧縮応力が生じる。同様に、結合リンクの動作においては、適当な引張負荷による引張力と引張ひずみが生じ得る。この変形が少なくとも１つの力センサ２７によって検出される。
【００２４】
図１及び図２の図示とは異なり、本発明は、別の類似のように構成された部材へ、例えば車両−トレーラ連結部において応用されることが可能である。この場合、トレーラ連結部の連結フックは、部分的に中空体に形成されることができ、連結フックに作用する力を検出するために、この中空体内には少なくとも１つの力センサが配置され得る。
【符号の説明】
【００２５】
１            結合リンク
２            ボールジョイント
３            ボールスタッド
３ａ          ボールヘッド
３ｂ          第１の軸範囲
３ｃ          第２の軸範囲
３ｄ          ネジ部分
４            中空空間
５            接続箇所
６            溶接継ぎ目
７            力センサ
８            電子部品
９            コネクタ
２１          結合リンク
２１ａ        第１の範囲（中空）
２１ｂ        第２の範囲（中実）
２２          ボールジョイント
２３          ボールスタッド
２４          中空空間
２５          接続箇所
２６          溶接継ぎ目
２７          力センサ
２８          電子部品
２９          コネクタ
Ｆ            支持力
ｘ            測定範囲
【図１】
0006701191.tif 000002
【図２】
0006701191.tif 000003